【事件の表示】
　特願２００７−　６６８９５「情報処理装置、情報処理方法及び記録媒体」拒絶査定不服審判事件〔平成１９年　７月１９日出願公開、特開２００７−１８３９８９〕について、次のとおり審決する。
【結　論】
　本件審判の請求は、成り立たない。
【理　由】
第１　手続きの経緯・本願発明
　本願は、平成１２年４月２１日に出願した特願２０００−１２１２９８号（以下、「原出願」という。）の一部を、平成１９年３月１５日に新たな特許出願としたものであって、平成２０年１０月１０日付けで拒絶査定がなされ、それに対して同年１１月２０日に拒絶査定不服の審判請求がなされ、同年１２月２２日付けで手続補正書が提出されたものであって、その請求項１に係る発明は、平成２０年１２月２２日付けの手続補正書により補正された明細書及び図面の記載からみて、特許請求の範囲の請求項１に記載された次のとおりのものと認める。（以下、「本願発明」という。）
「第１のデータに対応する第１のサムネールを生成する第１の生成手段と、
　第２のデータに対応する第２のサムネールを生成する第２の生成手段と、
　仮想の開いた第１の線の上に、前記第１のサムネールが、前記第２のサムネールの一部の上側に重なるように、前記第１のサムネールおよび前記第２のサムネールの表示位置を指定する第１の指定手段と、
　前記第１の指定手段により指定された位置に、前記第１のサムネールの一部が前記第２のサムネールの上側に重なるように表示するように表示を制御する第１の表示制御手段と、
　前記第１のサムネールまたは前記第２のサムネールがユーザの操作に応じて選択された場合、前記選択されたサムネールの下側に他のサムネールが重なるように表示を制御する第２の表示制御手段と、
　前記第１または第２のサムネールに対する再生指示がユーザ操作に応じて入力された場合、前記第１または第２のサムネールに対応するデータを再生する制御を行う再生制御手段と、を備え、
　前記第２の表示制御手段は、前記選択されたサムネールを、前記第１の線の中央部分近傍である所定の注目領域に表示するように表示を制御する
　を含むことを特徴とする情報処理装置。」
　
第２　引用例
（１）原査定の拒絶の理由に引用された特開２０００−１０５７７２号公報（以下、「引用例１」という。）には、図面とともに次の記載がある。
（ア）「【０００２】
【従来の技術】従来、情報管理装置としては、記憶された電子ファイルにおける各ファイル名称を、図７７に示すように、表示画面１０１上において、リスト状に上下方向に並べて表示し、使用者が表示画面１０１上のリストから、カーソル移動により、所望するファイルを選択できるものが知られている。
【０００３】このようなリスト表示方式では、多数の情報を一覧表示することが可能であるが、ロゴだけでは表示可能である情報量に乏しく、直観的に検索できないため、目的の情報を、迅速に検索するのに手間取るという問題点を有している。
【０００４】そこで、上記問題点を回避するために、図７８に示すような、各ファイルに対応した、縮小された画像（サムネイル画像１０２）を表示画面１０１上において、それぞれ表示して、各サムネイル画像１０２の表示を介して、記憶されているファイル情報を検索できる情報管理装置が知られている（特開平７−２００６３５号公報参照）。
【０００５】このような情報管理装置では、各サムネイル画像１０２をそれぞれ表示画面１０１上に表示させることにより、表示された各サムネイル画像１０２によって使用者の直観的なファイル検索が可能となり、ファイル検索を迅速化できる。
【０００６】
【発明が解決しようとする課題】ところが、上記従来公報の情報管理装置では、タイル状にサムネイル画像を表示することにより、直観的な検索が可能であるが、表示をタイル状に配することにより多数の情報を一度に表示させる一覧性に劣ると共に、多数のサムネイル画像を、一画面上に表示すると、表示画面上の各サムネイル画像がそれぞれ小さくなるため、絵などの像は視認できても、文字等のロゴ情報は小さくなりすぎて視認性に劣る等という課題を生じている。」（段落【０００２】〜【０００６】）
　　　
（イ）「【０００９】
【課題を解決するための手段】本発明の情報管理装置は、以上の課題を解決するために、画像ファイルを、複数、それぞれ記憶する画像記憶手段と、前記画像ファイルの表示を指示するための入力手段と、画像記憶手段に記憶される各画像ファイルに対応するサムネイルファイルをそれぞれ記憶するサムネイル記憶手段と、前記サムネイル記憶手段に記憶される各サムネイルファイルの画像を前記入力手段からの指示に基づき表示画面上において表示するサムネイル表示手段と、表示画面に表示された各サムネイルファイルから前記入力手段により指示されたサムネイルファイルに対応する画像ファイルを画像記憶手段から読み出して表示画面に表示する画像ファイル表示手段とを具備し、サムネイル表示手段は、各サムネイルファイルの画像を互いに一部を重ね合わせて３次元様の立体的に配列するように設定されていることを特徴としている。
【００１０】上記構成によれば、サムネイル表示手段によって、各サムネイルファイルの画像を互いに一部を重ね合わせて、三次元様の立体的に配列してサムネイルファイルを表示したことにより、最前列のサムネイルファイルを判別し易い大きさに設定できると共に、その最前列より後列のサムネイルファイルの一部が表示され、その表示により後列のサムネイルファイルの内容についても、ある程度の情報をユーザに予め付与できる。
【００１１】このことから、上記構成では、各サムネイルファイルの表示を、互いに一部を重ね合わせることによって、従来より、より多く表示画面上に表示できるので、各サムネイルファイルから所望するサムネイルファイルに対応する画像ファイルの検索を迅速化できる。」（段落【０００９】〜【００１１】）
　　
（ウ）「【００１４】上記情報管理装置では、入力手段からの指示にしたがって、表示画面に表示された各サムネイルファイルの画像を一ファイルまたは数ファイル毎に移動させるファイル移動手段を有していてもよい。
【００１５】上記構成によれば、入力手段からの指示によって、ファイル移動手段により、各サムネイルファイルのサムネイルファイルを移動させて、最前列に順次移動できるので、各サムネイルファイルから所望のサムネイルファイルを迅速に検索できて、そのサムネイルファイルを介して所望する画像ファイルの検索を迅速化できる。
【００１６】上記情報管理装置において、サムネイル表示手段は、各サムネイルファイルの画像をリング状に配列するように設定されていてもよい。
【００１７】上記構成によれば、各サムネイルファイルの画像をリング状に配列することにより、ユーザが、各サムネイルファイルの画像を順次視認したとき、最後のサムネイルファイルの画像の次の画像が最初に視認したサムネイルファイルの画像となるので、各画像の視認において、ある画像から、他の画像へ大きく、かつ正確にジャンプするといった手間を省くことができて、各サムネイルファイルの画像に対する視認性を向上できる。
【００１８】上記情報管理装置においては、さらに、入力手段からの指示に基づき、表示画面上においてリング状に配列された各サムネイルファイルの画像をリング状の配列における中心軸を回転軸として回転移動させる回転指示手段を有していてもよい。
【００１９】上記構成によれば、リング状に配列された各サムネイルファイルの画像を、回転指示手段によって回転移動して表示することができ、各サムネイルファイルの視認性をさらに向上できて、検索効率を向上できる。」（段落【００１４】〜【００１９】）
　　
（エ）「【００８０】上記情報管理装置においては、さらに、表示画面上において、回転移動する各サムネイルファイルの位置をそれぞれモニタする位置検出手段と、位置検出手段からのモニタ位置に基づいて、サムネイルファイルが最前列に移動したときに、上記サムネイルファイルの回転移動を一時停止させる一時停止手段とを有することが望ましい。
【００８１】上記構成によれば、立体的に表示した複数の各サムネイルファイルを回転させながら、所望のサムネイルファイルが最前列にきたときに、一定時間だけ、上記の回転移動をが停止させられるため、上記サムネイルファイルの、例えば文字情報を視認し易くなり、サムネイルファイルを用いた画像ファイルの検索を容易にできる。」（段落【００８０】、【００８１】）
　　　
（オ）「【０１０２】
【発明の実施の形態】〔実施の形態１〕本発明の実施の形態１について図１ないし図１４に基づいて説明すれば、以下の通りである。まず、本発明の情報管理装置に係る電子ファイリング装置については、大きさにおいて制限を有する表示／操作系である携帯端末装置に活用された際に、特に効力を発するものであるため、以降では、特に携帯型の電子ファイリング装置に活用した場合の例を挙げて説明する。
【０１０３】上記電子ファイリング装置は、図１に示すように、携帯可能なように、偏平で略直方体形状の装置本体１０に対し、図２に示すように、イメージ（像）や文字や記号等の画像情報を表示するための閲覧部１、画像情報を外部から取り込むための第一読取機能部２および第二読取機能部３、キーワードや入力ペン等によりユーザにより直接情報を入力するための入力部４、取り込まれたり入力されたりした画像情報を記憶するためのファイリング部５、並びに、入力された画像情報に関する付加情報、例えばキーワード等を保存／生成するための検索部６とを備えている。
【０１０４】閲覧部１は、中央処理装置（ＣＰＵ）および画像表示装置を有しており、画像情報を表示するための、例えば６インチサイズの液晶表示部（以下、ＬＣＤと略す）１１、このＬＣＤ１１をコントロールする表示コントローラ１２、表示内容を一時的に保存する表示メモリ１３、本装置の各動作をコントロールする中央処理装置１４、画像の回転・拡大・縮小などを司る画像処理部１５、オリジナル画像と文字・マーカー・見出し等の識別部との合成を司る画像合成部１６、各種動作の初期状態・前回設定状態等の立体表示、例えばリング状表示のルールを格納する各種パラメータ格納部１７、および、検索時に検索要求語句と保存されている各検索語句との比較を司る演算部１８とを備え、主に、画像の表示、および、ＬＣＤ１１に何を表示させるかのコントロールを司る部分である。
・・・（中略）・・・
【０１０７】操作パネル２４は、図１に示すように、ＬＣＤ１１上の表示画像の回転や、上下左右のスクロールを指示するための十字キー２４ａ、指示のための各モードＡ〜Ｄを切り替えるためのモード切替キー２４ｂ、ＬＣＤ１１の表示画面の下端部にて表示され、各モードＡ〜Ｄにより表示がそれぞれ切り替わる表示キー部２４ｄ、および表示キー部２４ｄに表示された各指示を指定して入力するための指示キー２４ｃを有している。」（段落【０１０２】〜【０１０７】）
　　
（カ）「【０１１３】ファイリング部５は、保存された各ドキュメント情報（画像ファイル）を保存しておく画像記憶部５１、および、保存された各ドキュメント情報にそれぞれ対応した検索見本であるファイル束（サムネイルファイル）を保存しておくサムネイル記憶部５２を有しており、主に、取り込まれた各ドキュメント情報およびそれにそれぞれ対応した検索見本の各ファイル束に関する画像情報の保存を司る部分である。
【０１１４】これら画像記憶部５１およびサムネイル記憶部５２には、保存データ量が多いことから、通常、大容量、例えば４Ｇ bit程度の記憶容量を有するハードディスクがその記憶領域を分割して用いられている。検索見本としての各ファイル束は、対応するドキュメント情報を縮小したものでもよいし、また、対応するドキュメント情報を示すイメージやタイトル等であってもよい。
【０１１５】検索部６は、保存されたドキュメント情報から、ファイル形式等の固有情報によりキーワードを作成するキーワード生成部６１、作成されたキーワードや、付加されたキーワードを分類するキーワード分類部６２、およびそれぞれのキーワードを保存しておくキーワード記憶部６３を備え、主に、保存されたドキュメント情報に関するキーワード作成・保存を司る部分である。
【０１１６】そして、本発明は、各ドキュメント情報の検索を容易化するために、図１に示すように、縮小表示され、原稿束様に形成されたファイル束の集合体またはフォルダ群の画像を、ＬＣＤ１１における表示画面において、前面より奥に向かって、立体的に、例えばリング状に見えるように、順次、各ファイル束、または各フォルダを互いの一部が重なり合うように配する方式である。
【０１１７】フォルダとは、キーワード等といった共通点によってそれぞれ集められたファイル束の集合体をボックス形状であるフォルダ形状にて示すものである。よって、本発明では、表示画面上のフォルダ群からフォルダを、例えばペン４１によって選択すると、そのフォルダに含まれる各ファイル束が、ファイル束の集合体としてリング状表示さあれるようにＬＣＤ１１上の表示画面が変わるように設定されている。
【０１１８】また、このようなファイル束、またはフォルダは、その頁数やファイル数の多寡がＬＣＤ１１上にて容易に視認できるように、表示上にて設定され、また、表示頁数／総頁数も、ファイル束の例えば左上欄に表示されるように、必要に応じて設定されている。
【０１１９】本発明の方式について、さらに詳細に説明すると、最前列に配されたファイル束（ファイル束Ａ）またはフォルダは全面表示され、仮想三次元（立体的な）の配置の後列に配されるファイル束（ファイル束Ｂ，Ｌ）またはフォルダの一部が、その前列にあるファイル束（ファイル束Ａ）またはフォルダに対し、視覚的に重なり合う形で配置される。
【０１２０】同様なファイル束（ファイル束Ｂ，Ｌ）またはフォルダの次列（後列）に位置するファイル束（ファイル束Ｃ，Ｋ）（図示せず）またはフォルダがその前列に対し重なり合う形で次々と配置され、最終的にファイル束の集合体またはフォルダ群の配置レイアウトが、ＬＣＤ１１の表示画面上において、最前列より斜め上方に傾いた立体的に、例えば図１ではリング状に見えるように配置される。
【０１２１】また、リング状に配置されるファイル束の集合体またはフォルダ群は、仮想三次元構造を取るため、後列に位置するファイル束またはフォルダの表示画像サイズが、その前列に位置されるファイル束またはフォルダの表示画像サイズに比べ、順次、小さくなるという構造を有している。
【０１２２】これにより、本発明では、ファイル束の集合体またはフォルダ群は、それらの少なくとも一部が互いに重なり合い、かつ、表示画像サイズが前列から後列に向かって順次小さくなるように設定されているので、ファイル束の集合体またはフォルダ群を多数、ＬＣＤ１１の表示画面上に表示できる一覧性を確保しながら、少なくとも、最前列の画像、例えば図１におけるファイル束Ａにおいて、その画像にて表示された文字等のロゴが読める大きさに設定することができる。」（段落【０１１３】〜【０１２２】）
　　
（キ）「【０１４０】上記方法を、図１０に示したフローチャートに基づいて説明すると、まず、前述したように、ユーザの指定により、フォルダ群が選択されたのち、予め、ユーザにより登録されている規則（パラメータ）にしたがい、登録されているフォルダ群が、表示画面上にてリング状にサムネイル表示される（Ｓ１０１）（図１１（ａ）参照）。表示されたフォルダ群より任意のファイル束の集合体を呼出し、登録されている規則にしたがいリング状にサムネイル表示する（Ｓ１０２）（図１１（ｂ）参照）。
【０１４１】その後、サムネイル表示されたファイル束の集合体の内、最前列（先頭）に配置されたファイル束がユーザの目的でないファイル束のときには、前述の十字キー２４ａにより、ファイル束の集合体の回転、例えば右回転を指示する（Ｓ１０３）（図１１（ｃ）参照）。」（段落【０１４０】、【０１４１】）
　　
（ク）「【０２０１】まず、図４０に示すように、画像記憶部５１に記憶された全画像ファイルから一つのフォルダ（ファイル束の集合体）を、ＬＣＤ１１の上部に表示されたメニューバーやツールバー等に対するペン４１による指示により指定することによって読み出す（Ｓ３０１）。読み出された集合体を各種パラメータ格納部１７に記憶されたリング状表示のための規則を読み出し、リング状にサムネイル表示する（Ｓ３０２）。
【０２０２】表示されたファイル束の集合体から、ペン４１によって、一つのファイル束の選択を実行すると（Ｓ３０３）（図４１（ａ）参照）、選択されたファイル束は例えば拡大され、ファイル束に対応した原稿束等の画像ファイルの原稿画像が、ＬＣＤ１１の表示画面上において全面表示される（Ｓ３０４）。一ファイル束のペン入力が選択されるまで永久ループ、つまり待機状態となる。ただし、待機状態において、他の機能が入力されると、待機状態が解除されると共にサムネイル表示も解除される。」（段落【０２０１】、【０２０２】）
　　　
（ケ）「【０３０１】また、上記各実施の形態では、ファイル束の集合体７をリング状表示した例を挙げたが、本発明では、特にリング状表示に限定されるものではなく、例えばファイル束の集合体７を、例えば図７５に示すように、ファイル束の集合体７における各ファイル束を、表示画面上において、前後方向の斜めに、互いの一部を重ね合わせるように、言い換えると各ファイル束の少なくとも一部が視認できるように並べて表示するようにしてもよい。
【０３０２】このように配列した場合、各ファイル束の検索を容易化するために、リング状表示における回転表示と同様に、図７５（ａ）ないし（ｃ）に示すように、最前列のファイル束Ａを、最後列に移動させて、ファイル束Ａの後ろに配列されていたファイル束Ｂを最前列に表示するように、各ファイル束を順次移動させるように設定してもよい。なお、上記では、最前列のファイル束を最後列に移動させて表示する例を挙げたが、逆に、最後列のファイル束を最前列に移動させて表示するように設定してもよい。
【０３０３】さらに、上記各実施の形態に示したリング状表示に代えて、例えば図７６に示すように、ファイル束の集合体７の各ファイル束を、スパイラル状（螺旋状）に表示してもよい。このようなスパイラル状の表示では、最前列に表示されるファイル束が、リング状表示と比べて多くなるように設定できるので、各ファイル束の検索効率を向上することが可能となっている。
【０３０４】また、このようなスパイラル状の表示においては、リング状表示における回転表示と同様に、図７６（ａ）ないし（ｃ）に示すように、各ファイル束をスパイラル形状の中心軸を回転軸として回転しながら、回転に合わせて順次上方に移動し、最上部のファイル束は、中心軸に沿って下降し最下部のファイル束となって、回転移動するように設定することもできる。このような回転移動により、ファイル束の検索効率を向上できる。」（段落【０３０１】〜【０３０４】）
　　　
（コ）「【０３３２】さらに、上記各実施の形態では、画像ファイルとして、文書等の原稿の画像情報を例として挙げたが、そのような画像情報に限定する必要はなく、例えば、集計表等の表データや、設計図や回路図等の画像データにも適用できる。
【０３３３】
【発明の効果】本発明の情報管理装置は、以上のように、画像ファイルに対応するサムネイルファイルを表示して、上記サムネイルファイルを介して画像ファイルを検索する情報管理装置において、サムネイルファイルを複数表示するためのサムネイル表示手段は、各サムネイルファイルの画像を互いに一部を重ね合わせて３次元様の立体的に配列するように設定されている構成である。
【０３３４】それゆえ、上記構成は、各サムネイルファイルの表示を、三次元様の立体的となるように配置したことにより、最前列のサムネイルファイルを判別し易い大きさに設定できると共に、その最前列より後列のサムネイルファイルの一部が表示され、その表示により後列のサムネイルファイルの内容についても、ある程度の情報をユーザに予め付与できる。
【０３３５】このことから、上記構成では、各サムネイルファイルを三次元用の立体的に表示したことによって、従来より、より多くのサムネイルファイルを表示画面上に表示できることから、各サムネイルファイルの集合体から所望するサムネイルファイルに対応する画像ファイルの検索を迅速化できるという効果を奏する。
【０３３６】本発明の他の情報管理装置は、以上のように、画像ファイルに対応するサムネイルファイルを表示して、上記サムネイルファイルを介して画像ファイルを検索する情報管理装置において、サムネイルファイルを複数表示するためのサムネイル表示手段は、各サムネイルファイルを互いに一部を重ね合わせて表示すると共に、各サムネイルファイルの配列位置にしたがい、前列から後列に向かって、順次、上方にずらして配列され、各サムネイルファイルの上部が表示されるように設定されている構成である。
【０３３７】それゆえ、上記構成は、各サムネイルファイルの表示を、互いに一部を重ね合わせて表示すると共に、各サムネイルファイルの配列位置にしたがい、前列から後列に向かって、順次、上方にずらして配列され、各サムネイルファイルの上部が表示されるように設定したことにより、最前列のサムネイルファイルを判別し易い大きさに設定できると共に、その最前列より後列のサムネイルファイルの一部が表示され、その表示により後列のサムネイルファイルの内容についても、ある程度の情報をユーザに予め付与できる。
【０３３８】このことから、上記構成では、各サムネイルファイルを互いに一部を重ね合わせて表示したことによって、従来より、より多くのサムネイルファイルを表示画面上に表示できることから、各サムネイルファイルの集合体から、所望するサムネイルファイルに対応する画像ファイルの検索を迅速化できるという効果を奏する。」（段落【０３３２】〜【０３３８】）
　　　　
　以上の記載によれば、引用例１には以下のような発明（以下、「引用発明」という。）が開示されていると認められる。
「画像ファイルを、複数、それぞれ記憶する画像記憶手段と、
　前記画像ファイルの表示を指示するための入力手段と、
　画像記憶手段に記憶される各画像ファイルに対応するサムネイルファイルをそれぞれ記憶するサムネイル記憶手段と、
　前記サムネイル記憶手段に記憶される各サムネイルファイルの画像を前記入力手段からの指示に基づき表示画面上において、各サムネイルファイルを互いに一部を重ね合わせて表示すると共に、各サムネイルファイルの配列位置にしたがい、前列から後列に向かって、順次、上方にずらして配列され、各サムネイルファイルの上部が表示され、かつ表示画像サイズが前列から後列に向かって順次小さくなるようにリング状に配列して表示するサムネイル表示手段と、
　表示画面に表示された各サムネイルファイルから前記入力手段により指示されたサムネイルファイルに対応する画像ファイルを画像記憶手段から読み出して表示画面に表示する画像ファイル表示手段とを具備し、
　入力手段からの指示に基づき、表示画面上においてリング状に配列された各サムネイルファイルの画像をリング状の配列における中心軸を回転軸として回転移動させる回転指示手段を有してもよく、リング状に配列された各サムネイルファイルの画像を、回転指示手段によって回転移動して表示することができ、
　さらに、表示画面上において、回転移動する各サムネイルファイルの位置をそれぞれモニタする位置検出手段と、位置検出手段からのモニタ位置に基づいて、サムネイルファイルが最前列に移動したときに、上記サムネイルファイルの回転移動を一時停止させる一時停止手段を有してもよく、立体的に表示した複数の各サムネイルファイルを回転させながら、所望のサムネイルファイルが最前列にきたときに、一定時間だけ、上記の回転移動が停止させられるため、上記サムネイルファイルの、例えば文字情報を視認し易くなり、サムネイルファイルを用いた画像ファイルの検索を容易にできる情報管理装置。」
　　
（２）原査定の拒絶の理由に引用された特開平１１−３９１３２号公報（以下、「引用例２」という。）には、図面とともに次の記載がある。
「【００３１】前記アイコン表示面１００には、奥行き方向に時間軸１０２が設定されており、アイコン表示面１００上のアイコン１０３は、該アイコン１０３が記録保存された時の時間情報と分類情報とに従って、アイコン表示面１００上の適切な位置に配置される。また、アイコン表示面１００には、任意のアイコンを拡大表示するための選択を行う拡大カーソル１０４が表示されており、キーボード、マウス、ジョイスティック、３次元マウスなどの入力装置によって操作される。そして、拡大ウィンドウ１０５には、前記拡大カーソル１０４で選択されたアイコンを拡大した画像１０６が表示されている。」（段落【００３１】）
　　
第３　対　比
　本願発明と引用発明とを対比する。
　引用発明の画像記憶手段に、複数、それぞれ記憶された「画像ファイル」は、本願発明の「第１のデータ」及び「第２のデータ」に相当し、引用発明の「画像記憶手段に記憶される各画像ファイルに対応するサムネイルファイル」は、本願発明の「第１のデータに対応する第１のサムネール」及び「第２のデータに対応する第２のサムネール」に相当する。
　引用発明は、「サムネイル記憶手段」に「画像記憶手段に記憶される各画像ファイルに対応するサムネイルファイルをそれぞれ記憶する」から、各画像ファイルに対応した、縮小された画像等であるサムネイルファイルを生成する手段を備えているといえ、本願発明の「第１のデータに対応する第１のサムネールを生成する手段」及び「第２のデータに対応する第２のサムネールを生成する手段」に相当する構成を備えている。
　引用発明の「前記サムネイル記憶手段に記憶される各サムネイルファイルの画像を前記入力手段からの指示に基づき表示画面上において、各サムネイルファイルを互いに一部を重ね合わせて表示すると共に、各サムネイルファイルの配列位置にしたがい、前列から後列に向かって、順次、上方にずらして配列され、各サムネイルファイルの上部が表示され、かつ表示画像サイズが前列から後列に向かって順次小さくなるようにリング状に配列して表示するサムネイル表示手段」は、リング状の線の上にサムネイルファイルの表示位置を指定して表示しているといえるから、本願発明の「仮想の開いた第１の線の上に、前記第１のサムネールが、前記第２のサムネールの一部の上側に重なるように、前記第１のサムネールおよび前記第２のサムネールの表示位置を指定する第１の指定手段と、前記第１の指定手段により指定された位置に、前記第１のサムネールの一部が前記第２のサムネールの上側に重なるように表示するように表示を制御する第１の表示制御手段」と「仮想の第１の線の上に、前記第１のサムネールが、前記第２のサムネールの一部の上側に重なるように、前記第１のサムネールおよび前記第２のサムネールの表示位置を指定する第１の指定手段と、前記第１の指定手段により指定された位置に、前記第１のサムネールの一部が前記第２のサムネールの上側に重なるように表示するように表示を制御する第１の表示制御手段」である点で共通する。
　引用発明の「入力手段からの指示に基づき、表示画面上においてリング状に配列された各サムネイルファイルの画像をリング状の配列における中心軸を回転軸として回転移動させる回転指示手段」は、所望のサムネイルファイルを最前列に移動でき、最前列はリングの中央部近傍であって、他のサムネイルファイルが下側に重なることは明らかであるから、本願発明の「前記第１のサムネールまたは前記第２のサムネールがユーザの操作に応じて選択された場合、前記選択されたサムネールの下側に他のサムネールが重なるように表示を制御する第２の表示制御手段」を備え、「前記第２の表示制御手段は、前記選択されたサムネールを、前記第１の線の中央部分近傍である所定の注目領域に表示するように表示を制御する」と「前記第１のサムネールまたは前記第２のサムネールがユーザの操作に応じて下側に他のサムネールが重なるように表示を制御する第２の表示制御手段」を備え、「前記第２の表示制御手段は、前記第１のサムネールまたは前記第２のサムネールを、前記第１の線の中央部分近傍に表示するように表示を制御する」点で共通する。
　引用発明の「表示画面に表示された各サムネイルファイルから前記入力手段により指示されたサムネイルファイルに対応する画像ファイルを画像記憶手段から読み出して表示画面に表示する画像ファイル表示手段」は、本願発明の「前記第１または第２のサムネールに対する再生指示がユーザ操作に応じて入力された場合、前記第１または第２のサムネールに対応するデータを再生する制御を行う再生制御手段」と「前記第１または第２のサムネールに対する指示がユーザ操作に応じて入力された場合、前記第１または第２のサムネールに対応するデータを出力する制御を行う出力制御手段」である点で共通する。
　引用発明の「情報管理装置」は、本願発明の「情報処理装置」に相当する。　
　したがって、本願発明の用語を用いると両者は、
「第１のデータに対応する第１のサムネールを生成する第１の生成手段と、
　第２のデータに対応する第２のサムネールを生成する第２の生成手段と、
　仮想の第１の線の上に、前記第１のサムネールが、前記第２のサムネールの一部の上側に重なるように、前記第１のサムネールおよび前記第２のサムネールの表示位置を指定する第１の指定手段と、
　前記第１の指定手段により指定された位置に、前記第１のサムネールの一部が前記第２のサムネールの上側に重なるように表示するように表示を制御する第１の表示制御手段と、
　前記第１のサムネールまたは前記第２のサムネールがユーザの操作に応じて下側に他のサムネールが重なるように表示を制御する第２の表示制御手段と、
　前記第１または第２のサムネールに対する指示がユーザ操作に応じて入力された場合、前記第１または第２のサムネールに対応するデータを出力する制御を行う出力制御手段と、を備え、
　前記第２の表示制御手段は、前記第１のサムネールまたは前記第２のサムネールを、前記第１の線の中央部分近傍に表示するように表示を制御する
　を含むことを特徴とする情報処理装置。」
で一致するものであり、次の（１）〜（３）の点で相違している。
　　
・相違点（１）
　本願発明は、「仮想の開いた第１の線」の上に、サムネールを表示するのに対し、引用発明は、仮想の閉じた線の上であるリング状にサムネイルを配列して表示している点。
　
・相違点（２）
　本願発明は、「前記第１のサムネールまたは前記第２のサムネールがユーザの操作に応じて選択された場合、前記選択されたサムネールの下側に他のサムネールが重なるように表示を制御」し、「前記選択されたサムネールを、前記第１の線の中央部分近傍である所定の注目領域に表示する」のに対し、引用発明は、各サムネイルファイルの画像を、回転指示手段によって回転移動して表示することができ、所望のサムネイルファイルをリングの中央部分近傍である最前列に移動して表示する点。
　
・相違点（３）
　本願発明は「第１または第２のサムネールに対する再生指示がユーザ操作に応じて入力された場合、前記第１または第２のサムネールに対応するデータを再生する制御を行う再生制御手段」を備えるのに対し、引用発明は、「入力手段により指示されたサムネイルファイルに対応する画像ファイルを画像記憶手段から読み出して表示画面に表示する画像ファイル表示手段」を備える点。
　　
第４　当審の判断
・相違点（１）ついて
　引用例１には、「また、上記各実施の形態では、ファイル束の集合体７をリング状表示した例を挙げたが、本発明では、特にリング状表示に限定されるものではなく、例えばファイル束の集合体７を、例えば図７５に示すように、ファイル束の集合体７における各ファイル束を、表示画面上において、前後方向の斜めに、互いの一部を重ね合わせるように、言い換えると各ファイル束の少なくとも一部が視認できるように並べて表示するようにしてもよい。」（段落【０３０１】）及び「さらに、上記各実施の形態に示したリング状表示に代えて、例えば図７６に示すように、ファイル束の集合体７の各ファイル束を、スパイラル状（螺旋状）に表示してもよい。」（段落【０３０３】）と記載されており、仮想の線として開いたスパイラル状（螺旋状）の線や開いた直線状の線を用いることをも開示している。
　したがって、引用発明において、仮想の開いた第１の線の上に、サムネールを表示するようにすることは、当業者が容易になし得ることである。
　　
・相違点（２）について
　引用発明は、サムネイルファイルが最前列に移動したときに、上記サムネイルファイルの回転移動を一時停止させる一時停止手段を有してもよく、立体的に表示した複数の各サムネイルファイルを回転させながら、所望のサムネイルファイルが最前列にきたときに、一定時間だけ、上記の回転移動が停止させられるため、上記サムネイルファイルの、例えば文字情報を視認し易くなることが示されており、引用発明の「最前列」は、第１の線であるリングの中央部分近傍である所定の注目領域といえる。
　そして、引用例２には、アイコンがユーザの操作に応じて選択された場合、選択されたアイコンを所定の注目領域に表示することが記載されている。
　したがって、引用発明において、第１のサムネールまたは第２のサムネールがユーザの操作に応じて選択された場合、前記選択されたサムネールを、前記第１の線の中央部分近傍である所定の注目領域に表示するようにすることは、当業者が容易になし得ることである。
　　　
・相違点（３）について
　記憶した画像から、画面にもとの画像を出すことは、画像の再生であるから、引用発明の「指定されたサムネイルファイルに対応する画像ファイルを画像記憶手段から読み出して表示画面に表示する画像ファイル表示手段」は、サムネールに対応するデータを再生する制御を行う再生制御手段であるといえる。
　なお、仮に、本願発明の「サムネールに対応するデータ」が動画や音声であって、本願発明が動画や音声を再生するものであったとしても、そのような技術は原出願の出願日前に周知であった（例えば、特開平１０−２４７２００号公報段落【００３５】、特開２０００−４１２０９号公報段落【０００２】、【０００３】、特開平１１−２１３５２４号公報段落【０１３２】〜【０１３４】の記載参照。）から、引用発明と周知事項とに基づいて本願発明の如く構成することは、当業者が適宜なし得ることである。
　　
　また、本願発明の作用効果も、引用発明、引用例２に記載された技術及び周知技術から、当業者であれば予想できる範囲内のものである。
　　　
第５　むすび
　以上のとおり、本願請求項１に係る発明は、引用発明、引用例２に記載された技術及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。